(57)【要約】      （修正有）【課題】下水管にはマスが介在させてある。そして当該マスと、地表や床面と同一平面に設ける蓋体との間には立ち上がり管が介在させてある。そして蓋体の高さを調整するために、この立ち上がり管の高さを調整する必要がある。本発明は立ち上がり管を切断することなく高さ調整を行うことが可能な汚水マス用蓋の高さ調整装置を提供する。【解決手段】汚水マス用蓋の高さ調整装置は、径の異なる二つの環状つめ部１１、１２と、締め付け部材１３と、複数の切り込み部１４より構成した。立ち上がり管と蓋体を締め付け固定することで高さ調整を行うものである。【選択図】図１
2005163308.tif 000002
【特許請求の範囲】
【請求項１】
径の異なる二つの環状つめ部と、締め付け部材とにより成る汚水マス用蓋の高さ調整装置。
【請求項２】
複数の切り込み部を有する請求項１記載の汚水マス用蓋の高さ調整装置。
【発明の詳細な説明】
【技術分野】
【０００１】
雨水、汚水等を受けるため下水管にはマスが介在させてある。そして当該マスと、地表や床面と同一平面に設ける蓋体との間には立ち上がり管が介在させてある。そして蓋体の高さを調整するために、この立ち上がり管の高さを調整する必要がある。本発明は係る汚水マスの高さ調整装置に関するものである。
【背景技術】
【０００２】
家庭等から排出される汚水や雨水は下水管を通って下水本管に流し込まれる。図４はその様子を模式的に示したものである。
【０００３】
家屋内の風呂やトイレ等からの排水は下水管１を通って道路などの地中に埋設された下水本管２に流し込まれる。この下水管１の途中には、いったん下水を受けるためのマス３が介在させてある。排水中に含まれる砂やゴミなどを沈殿させたり、下水管２の詰まりを補修する際の用具を挿入するためである。
【０００４】
このマス３と地表面や床面に設置される蓋体４との間には立ち上がり管５が介在させてある。そして下水管埋設施工時にこの立ち上がり管５の高さ調整が問題になることが多い。例えば立ち上がり管５が地表に突出した状態になると、蓋体４の上面が地面や床面とほぼ平行になるまで立ち上がり管５を切断する必要がある。
【０００５】
かような立ち上がり管５を切断して高さ調整を行う従来方法として実開平５−７３０９２号公報記載の考案がある。
【実用新案文献１】
【０００６】
実開平５−７３０９２号公報
【発明の開示】
【発明が解決しようとする課題】
【０００７】
上記実開平５−７３０９２号公報記載の考案は立ち上がり管を切断したうえでジョイント部材を介在させるものである。
【０００８】
ところが立ち上がり管を切断し高さ調整をする方法は非常に手間がかかると共に材料の無駄を生じるものである。又立ち上がり管には高さの異なる多くの種類があり、在庫や運搬に不便が大きい。
【０００９】
そこで本発明は立ち上がり管を切断することなく高さ調整を行うことが可能な汚水マス用蓋の高さ調整装置を提供することを目的とする。
【課題を解決するための手段】
【００１０】
上記課題を解決するために本発明に係る汚水マス用蓋の高さ調整装置は、径の異なる二つの環状つめ部と、締め付け部材と、複数の切り込み部より構成した。以下かように構成される本発明がいかに作用して課題を解決するかを図面を参照しながら述べる。
【００１１】
図１は本発明にかかる汚水マス用蓋の高さ調整装置の斜視図であり、図２は本発明の使用状態を示す説明断面図であり、図３は本発明の他の使用状態を示す説明断面図である。
【００１２】
図１に示すように本発明にかかる高さ調整装置は径の異なる二つの環状つめ部１１、１２を有するものである。この環状つめ部１１、１２を蓋体、立ち上がり管に当接させた状態で締め付け部１３を締め上げもって緊締固定するのである。
【００１３】
より具体的な緊締状態を示すのが図２および図３である。図２は蓋体２０を立ち上がり管３０内に嵌め込み固定する場合を示している。下水管５０を差し込んだマス４０内に立ち上がり管３０を嵌め込む。そして該立ち上がり管３０に蓋体２０を嵌め込む。そのうえで高さ調整部材１０の環状つめ部１１を蓋体２０の側面に、環状つめ部１２を立ち上がり管３０の側面に当接させた状態で締め付け部１３を締め上げ緊締固定するのである。
【００１４】
尚、蓋体２０と立ち上がり管３０の間にはパッキン６０が介在させてある。
【００１５】
図３は立ち上がり管３１を蓋体２１内に嵌め込み固定する場合を示している。下水管５０を差し込んだマス４０内に立ち上がり管３１を嵌め込む。そのうえで高さ調整部材１０の環状つめ部１２を蓋体２１の側面に、環状つめ部１１を立ち上がり管３０の側面に当接させた状態で締め付け部１３を締め上げ緊締固定するのである。
【００１６】
尚、蓋体２１と立ち上がり管３１の間にはパッキン６１が介在させてある。
【００１７】
かように本発明によれば予め短めの立ち上がり管を使用しさえすれば自在に高さを調整することが可能となり、つまりは立ち上がり管を切断することなく高さ調整を行うことが可能な高さ調整装置を提供することが可能となるのである。
【発明の効果】
【００１８】
上述のように本発明によれば蓋体の嵌め込む深さを変えることで任意に高さ調整を行うことが可能となる。つまりは予め短めの立ち上がり管を使用しさえすれば自在に高さを調整することが可能となり、立ち上がり管を切断することなく高さ調整を行うことが可能な高さ調整装置を提供することが可能となるのである。
【００１９】
又自在に高さ調整を行えることから他種類な立ち上がり管を用意する必要がなく、よって様々な種類の立ち上がり管の在庫を抱える必要もなく、又定型サイズの立ち上がり管を用意すれば事足りることから運搬も容易なものとなるのである。
【発明を実施するための最良の形態】
【００２０】
以下発明の実施形態につきに述べる。
【００２１】
図１に示すように本発明に係る高さ調整装置は径の異なる二つの環状つめ部１１，１２を有する。この環状つめ部１１，１２の蓋体や立ち上がり管への当接面はフラット形状でもよいが、より締め付ける力を強めるために鋸歯状にしてもよい。
【００２２】
締め付け部材１３は図１に示すようにステンレス製板バンド１３ａ、ハウジング１３ｂ及びネジｃ１３の三つの部位から構成され、ハウジング１３ａ内でネジ溝と板バンド１３ａが噛み合い高さ調整装置全体の径が縮小することで締め付けていくものである。むろん締め付け部材の構成は係るものに限定を受けるものではなく、高さ調整装置の径を縮小させていけるものであれば足り、例えば板バンドをボルトナットで締め上げていくといったものでもよい。
【００２３】
又、高さ調整装置の全体の径を縮小させていく際の逃げとして、切り込み部１４を設ければより効率的に締め付けていくことが可能となる。
【００２４】
尚、本発明に係る高さ調整装置は、強度を有し防錆性・防腐蝕性を有する金属、例えばステンレスなどで構成することが好ましい
【図面の簡単な説明】
【００２５】
【図１】本発明にかかる汚水マス用蓋の高さ調整装置の斜視図。
【図２】本発明の使用状態を示す説明断面図。
【図３】本発明の他の使用状態を示す説明断面図。
【図４】下水管の設置状態を模式的に示す説明図。
【符号の説明】
【００２６】
１１，１２，・・・環状つめ部      １３・・締め付け部材
１４・・切り込み部
【図１】
2005163308.tif 000003
【図２】
2005163308.tif 000004
【図３】
2005163308.tif 000005
【図４】
2005163308.tif 000006